(57)【要約】      （修正有）【課題】マッサージに係る作動の信頼性、安定性を高められるマッサージ機の機械ユニットを提供する。【解決手段】駆動部５０を支える傾動軸２２及び駆動部５０の傾動に関わる回転軸２３の各両端部を、独立した二つのベースフレーム２５、２６で支持するようにし、各ベースフレーム２５、２６における傾動軸２２と回転軸２３に対し直角となる向きで、且つ背もたれ部の前後方向に対応する向きの大きさを、傾動軸２２と回転軸２３に対し平行となる向きの大きさより大きくすることで、駆動部５０側から傾動軸２２と回転軸２３の相互の位置関係を変えようとする力がベースフレーム２５、２６に加わる状況でも、ベースフレームが変形することなく傾動軸２２及び回転軸２３の位置関係を維持して、各機構部品の連結、連動を適切な状態に保ち、各部品に異常な力が加わらず部品の破損を防止できると共に、マッサージ機作動の信頼性や安定性を向上させられる。【選択図】図３
2019042141.tif 000002
【特許請求の範囲】
【請求項１】
少なくとも座部と背もたれ部とを備える椅子形のマッサージ機における、前記背もたれ部に配設され、使用者に対し施療子を動かして所定のマッサージを実行する、マッサージ機の機械ユニットにおいて、
前記施療子を作動させる駆動部と、
前記背もたれ部の上下方向及び前後方向と直角をなす向きとして配設され、前記駆動部を傾動可能に支持する傾動軸と、
当該傾動軸と中心を一致させた所定ピッチ円径の外歯車と同じ歯形として並べて形成される複数の歯を有し、前記駆動部の外側に固定配設される歯部と、
前記傾動軸と平行な向きとして前記歯部の近傍に配設される所定の回転軸と、
当該回転軸を中心に回転可能に配設されて前記歯部に噛合し、前記回転軸を介して所定の一の駆動源により回転駆動されるピニオンギヤと、
長手方向が前記傾動軸及び回転軸と直角をなす向きとされる部材であり、前記傾動軸の一端部及び前記回転軸の一端部をそれぞれ回転可能に支持する第一のベースフレームと、
長手方向が前記傾動軸及び回転軸と直角をなす向きとされる部材であり、前記傾動軸の他端部及び前記回転軸の他端部をそれぞれ回転可能に支持する第二のベースフレームとを備え、
前記第一及び第二の各ベースフレームが、前記傾動軸と回転軸に対し平行又は直角となる複数の平面部を有すると共に、傾動軸及び回転軸と直角をなす向きに連続する複数の角部で前記平面部同士が交わる形状の部材とされ、
前記複数の平面部が、傾動軸と回転軸との背もたれ部上下方向における軸間距離を超える所定の大きさで、且つ、傾動軸と回転軸に対し平行となる一の平面部、及び、傾動軸と回転軸に対し直角となる他の平面部を少なくとも含んでなり、前記一の平面部を背もたれ上下方向に沿う配置とされ、
前記一の平面部と他の平面部が、所定の角部で直接交わるように配置され、一の平面部の前記傾動軸と回転軸に対し平行となる向きの大きさに対して、他の平面部における前記所定の角部の連続する方向に対し直角となる向きの大きさを、より大きくして形成されるとともに、前記第一及び第二の各ベースフレームを、それぞれの一の平面部において連結桿を固定することで連結することを
特徴とするマッサージ機の機械ユニット。
【請求項２】
前記請求項１に記載のマッサージ機の機械ユニットにおいて、
前記駆動部が、前記施療子を作動させる内部機構部分を外から取り囲む略箱状のハウジングを有し、
当該ハウジングが、複数の外殻部材を前記傾動軸と回転軸に対し平行となる向きに連結して一体に組み合わせて形成され、
前記ハウジングをなす外殻部材のうち、前記第一のベースフレームに最も近い部材が、第一のベースフレームに面する端部を、傾動軸と回転軸に対し直角となる向きの連続した側面部として形成され、
前記ハウジングをなす外殻部材のうち、前記第二のベースフレームに最も近い部材が、第二のベースフレームに面する端部を、傾動軸と回転軸に対し直角となる向きの連続した側面部として形成されることを
特徴とするマッサージ機の機械ユニット。
【請求項３】
前記請求項２に記載のマッサージ機の機械ユニットにおいて、
前記歯部が、ハウジングにおける第一のベースフレームに面する一の側面部近傍部分と、第二のベースフレームに面する他の側面部近傍部分の一方又は両方に固定配設されることを
特徴とするマッサージ機の機械ユニット。
【請求項４】
前記請求項１ないし３のいずれかに記載のマッサージ機の機械ユニットにおいて、
前記第一及び第二の各ベースフレームが、所定形状の金属平板における外周部分の複数箇所を、曲げ加工で起立状態として得られる成形体とされ、
前記各ベースフレームにおける前記一の平面部が、前記金属平板における起立状態とされなかった残りの部位として形成され、
前記各ベースフレームにおける前記他の平面部が、複数の起立部分のうちの一つとして形成されると共に、他の平面部を含む複数の起立部分が、当該各起立部分と前記一の平面部とが少なくとも溝状の横断面形状をなすように曲げ加工されることを
特徴とするマッサージ機の機械ユニット。
【請求項５】
前記請求項１ないし４のいずれかに記載のマッサージ機の機械ユニットにおいて、
前記回転軸が、前記第一及び第二のベースフレームの一方に配設される軸受部に軸支されると共に、ベースフレームの他方に配設される減速機構部に連結支持されて配設され、
前記一の駆動源が一のモータとされ、モータの出力軸を前記減速機構部と連結して前記回転軸を駆動可能とされ、
前記一のモータが、出力軸を前記回転軸と直角をなす向きとしてベースフレームの他方に重なるようにして支持され、
前記減速機構部が、モータの出力軸に連結接続されるウォームと、当該ウォームと噛み合うウォームホイールと、当該ウォームホイールに対し回転軸と平行となる向きにずれた位置に配設され、ウォームホイールと前記回転軸との間に介在する一又は複数の減速段部とを有し、且つ、
前記減速機構部が、前記回転軸の軸受を兼ねて回転軸端部の周囲に位置し、前記減速段部から回転軸に回転を伝えつつ回転軸端部を軸支することを
特徴とするマッサージ機の機械ユニット。
【請求項６】
前記請求項１ないし５のいずれかに記載のマッサージ機の機械ユニットにおいて、
前記傾動軸に対し平行となる中心軸を中心に回転可能として前記第一及び第二の各ベースフレームの外側部分にそれぞれ配設され、所定の他の駆動源により回転駆動されるローラ部を備え、
前記駆動部が、前記傾動軸に相対回転可能として取付けられて支持され、
前記傾動軸が、前記第一及び第二のベースフレームの一方に配設される減速機構部に連結されると共に、ベースフレームの他方に配設される軸受部に軸支されて配設され、第一及び第二の各ベースフレームを貫通した両端部に前記ローラ部をそれぞれ取り付けられ、且つ、第一又は第二のベースフレームに取り付けられた前記他の駆動源により駆動可能とされて、前記ローラ部の中心軸を兼ね、
前記他の駆動源が他のモータとされ、モータの出力軸を前記減速機構部と連結して前記傾動軸を駆動可能とされ、
前記他のモータが、出力軸を前記傾動軸と直角をなす向きとしてベースフレームの一方に重なるようにして支持され、
前記減速機構部が、モータの出力軸に連結接続されるウォームと、当該ウォームと噛み合うウォームホイールと、当該ウォームホイールに対し傾動軸と平行となる向きにずれた位置に配設され、ウォームホイールと前記傾動軸との間に介在する一又は複数の減速段部とを有し、且つ、
前記減速機構部が、前記傾動軸の軸受を兼ねて傾動軸の周囲で且つ駆動部のハウジングとベースフレームの一方における他の平面部との間に位置し、前記減速段部から傾動軸に回転を伝えつつ傾動軸端部を軸支し、
前記マッサージ機の背もたれ部内部左右にそれぞれ配設される一対のガイドフレームに対し、前記ローラ部が各ガイドフレームを上下に走行可能に接触して、少なくとも前記傾動軸と駆動部がガイドフレーム間に挟まれる配置で背もたれ部上下方向に移動可能に支持されることを
特徴とするマッサージ機の機械ユニット。
【請求項７】
前記請求項１ないし６のいずれかに記載のマッサージ機の機械ユニットにおいて、
前記第一及び第二の各ベースフレームにおける前記一の平面部に当該一の平面部の長手方向の全体にわたって配設され、一の平面部から背もたれ部の前側へ向けて所定高さ分突出状態とされるガイド体を備え、
当該ガイド体における前記一の平面部の長手方向の両端部が、丸みを帯びた曲面形状とされ、且つ一の平面部の長手方向両端に隣接するベースフレームの端面の近傍に前記曲面形状部分を位置させる配置とされてなることを
特徴とするマッサージ機の機械ユニット。
【発明の詳細な説明】
【技術分野】
【０００１】
本発明は、揉み玉等の施療子を動かして使用者へのマッサージを実行するマッサージ機の機械ユニットに関し、特に施療子の使用者に対する位置を調整可能であるものに関する。
【背景技術】
【０００２】
使用者の身体を支持しつつマッサージを行う椅子形のマッサージ機では、通常、その背もたれ部に設けられる施療子としての揉み玉を、背もたれ部にもたれた使用者に対し進退（させて使用者側への突出量を調整）可能とし、使用者の所望する施療の強さが得られる構成を有している。こうしたマッサージ機で、揉み玉の進退調整用の機構としては、揉み玉をマッサージ時に作動させる駆動部を傾動可能に支持した上で、この駆動部にラック状の歯部を設け、さらにこの歯部と噛合する小歯車（ピニオンギヤ）を配設し、この小歯車を所定の回転軸上で回転させ、噛み合う歯部を動かすことで、駆動部を揉み玉ごと傾動させて、揉み玉を背もたれ部の前後方向に進退可能とする仕組みが多く用いられていた。このような揉み玉の進退機構を採用したマッサージ機の一例として、特開２００７−６９７５号公報に開示されるものがある。
【先行技術文献】
【特許文献】
【０００３】
【特許文献１】特開２００７−６９７５号公報
【発明の概要】
【発明が解決しようとする課題】
【０００４】
従来のマッサージ機は前記特許文献で示されるように、施療子としての揉み玉を使用者に対し進退調整可能とするために、駆動部を傾動可能とすると共に、駆動部に設けた歯部と噛合する小歯車を回転軸上で回転可能とする構成を有していた。この他、使用者の体格に合わせて背もたれ部の上下方向で揉み玉の位置を調整するために、駆動部は背もたれ部内で昇降する機械ユニットの一部をなす構成とされていた。具体的には、駆動部は背もたれ部内で昇降可能に配設される平板状のベース部に取り付けられて、揉み玉と共に昇降移動可能とされる仕組みであった。この場合、駆動部を傾動可能に配置するために、駆動部の傾動の中心軸がベース部に支持され、合わせて、駆動部を動かすための小歯車を設けた回転軸がベース部に支持されていた。
【０００５】
こうした従来のマッサージ機における機械ユニットでは、平板状のベース部で駆動部を支持するものとなっていることから、剛性を得にくく、また、機械ユニットは昇降移動させるために軽量化を図る必要があり、その一部であるベース部は重量増につながる高い剛性を付与しにくいこともあり、マッサージの際に揉み玉に設計値をわずかにでも超えるような大きな反力が加わると強度不足となるおそれがあった。詳細には、揉み玉が受ける力は駆動部からベース部に傾動中心軸や回転軸を通じて伝わるが、揉み玉との位置関係により、傾動中心軸と回転軸はベース部上で軸同士の位置関係を変えようとする力を受けることとなる。このため、揉み玉側から想定以上の強い力が加わると、ベース部が変形し、ベース部上の各部品の位置関係を維持できなくなり、傾動軸や回転軸自体のたわみ分と合わせて、例えば駆動部上の歯部と回転軸側の小歯車との噛合状態が浅くなるなど、機構部品同士の連結が不十分となり、部品間で力を適切に伝達できなくなって、部品の破損に至るおそれがあるという課題を有していた。
【０００６】
本発明は前記課題を解消するためになされたもので、施療子を作動させる駆動部の傾動に係る各軸を支持する機構部分について、構造を簡略化しつつ強度を高めて変形しにくくし、各機構部品の連結を維持して破損を防止でき、マッサージに係る作動の信頼性、安定性を高められるマッサージ機の機械ユニットを提供することを目的とする。
【課題を解決するための手段】
【０００７】
本発明の開示に係るマッサージ機の機械ユニットは、少なくとも座部と背もたれ部とを備える椅子形のマッサージ機における、前記背もたれ部に配設され、使用者に対し施療子を動かして所定のマッサージを実行する、マッサージ機の機械ユニットにおいて、前記施療子を作動させる駆動部と、前記背もたれ部の上下方向及び前後方向と直角をなす向きとして配設され、前記駆動部を傾動可能に支持する傾動軸と、当該傾動軸と中心を一致させた所定ピッチ円径の外歯車と同じ歯形として並べて形成される複数の歯を有し、前記駆動部の外側に固定配設される歯部と、前記傾動軸と平行な向きとして前記歯部の近傍に配設される所定の回転軸と、当該回転軸を中心に回転可能に配設されて前記歯部に噛合し、前記回転軸を介して所定の一の駆動源により回転駆動されるピニオンギヤと、長手方向が前記傾動軸及び回転軸と直角をなす向きとされる部材であり、前記傾動軸の一端部及び前記回転軸の一端部をそれぞれ回転可能に支持する第一のベースフレームと、長手方向が前記傾動軸及び回転軸と直角をなす向きとされる部材であり、前記傾動軸の他端部及び前記回転軸の他端部をそれぞれ回転可能に支持する第二のベースフレームとを備え、前記第一及び第二の各ベースフレームが、前記傾動軸と回転軸に対し平行又は直角となる複数の平面部を有すると共に、傾動軸及び回転軸と直角をなす向きに連続する複数の角部で前記平面部同士が交わる形状の部材とされ、前記複数の平面部が、傾動軸と回転軸との背もたれ部上下方向における軸間距離を超える所定の大きさで、且つ、傾動軸と回転軸に対し平行となる一の平面部、及び、傾動軸と回転軸に対し直角となる他の平面部を少なくとも含んでなり、前記一の平面部を背もたれ上下方向に沿う配置とされ、前記一の平面部と他の平面部が、所定の角部で直接交わるように配置され、一の平面部の前記傾動軸と回転軸に対し平行となる向きの大きさに対して、他の平面部における前記所定の角部の連続する方向に対し直角となる向きの大きさを、より大きくして形成されるとともに、前記第一及び第二の各ベースフレームを、それぞれの一の平面部において連結桿を固定することで連結するものである。
【０００８】
このように本発明の開示によれば、施療子を動かす駆動部に対し、この駆動部を支える傾動軸及び駆動部の傾動に関わる回転軸の各両端部を、独立した二つのベースフレームで支持するようにし、各ベースフレームにおける傾動軸と回転軸に対し直角となる向きで且つ背もたれ部の前後方向に対応する向きの大きさを、傾動軸と回転軸に対し平行となる向きの大きさより大きくし、ベースフレームを傾動軸又は回転軸と直角をなす向きに加わる力に対し変形しにくくすることにより、施療子に大きな反力が加わって駆動部を相対的に動かし、駆動部側から傾動軸と回転軸の相互の位置関係を変えようとする力がベースフレームに加わる場合でも、ベースフレームが変形することなくベースフレーム上の傾動軸及び回転軸の位置関係を維持して、各機構部品の連結、連動を適切な状態に保てることとなり、各部品に異常な力が加わらず部品の破損を防止できると共に、施療子位置の調整に係る駆動部の傾動を確実に行わせることができ、マッサージ機作動の信頼性や安定性を向上させられる。特に、前記第一及び第二の各ベースフレームを、それぞれの一の平面部において連結桿を固定することで連結しているので、たわみにくい側の平面部にしっかりと連結桿が固定され、より強度が向上する。
【０００９】
また、本発明の開示に係るマッサージ機の機械ユニットは必要に応じて、前記駆動部が、前記施療子を作動させる内部機構部分を外から取り囲む略箱状のハウジングを有し、当該ハウジングが、複数の外殻部材を前記傾動軸と回転軸に対し平行となる向きに連結して一体に組み合わせて形成され、前記ハウジングをなす外殻部材のうち、前記第一のベースフレームに最も近い部材が、第一のベースフレームに面する端部を、傾動軸と回転軸に対し直角となる向きの連続した側面部として形成され、前記ハウジングをなす外殻部材のうち、前記第二のベースフレームに最も近い部材が、第二のベースフレームに面する端部を、傾動軸と回転軸に対し直角となる向きの連続した側面部として形成されるものである。
【００１０】
このように本発明の開示によれば、駆動部における外周のハウジングを、複数の外殻部材の組み合わせで形成し、各外殻部材は傾動軸と回転軸に対し平行となる向きに連結一体化されると共に、第一のベースフレームに最も近い外殻部材におけるベースフレームに面する端部と、第二のベースフレームに最も近い外殻部材におけるベースフレームに面する端部とを、それぞれ傾動軸と回転軸とに対し直角となる向きに連続する側面部として形成して、これら側面部を傾動軸と回転軸とに対し直角となる向きに力を受けても変形しにくくしたことにより、施療子側からの反力が傾動軸と回転軸に対し直角となる向きの応力としてハウジングに加わって、ハウジング自体を変形させようとしても、力の向きと平行に連続する外殻部材の側面部がその形状を維持して外殻部材他部分の変形を抑えることに加えて、各外殻部材同士の連結面が力の向きと平行となって、隣接する外殻部材間に外殻部材同士を過剰に近づけたり引き離したりするような力が生じにくく、ハウジングの連結された各外殻部材が変形して破損に至ることを確実に防止でき、駆動部として施療子を伴った傾動を安定的に行わせることができる。
【００１１】
また、本発明の開示に係るマッサージ機の機械ユニットは必要に応じて、前記歯部が、ハウジングにおける第一のベースフレームに面する一の側面部近傍部分と、第二のベースフレームに面する他の側面部近傍部分の一方又は両方に固定配設されるものである。
【００１２】
このように本発明の開示によれば、ハウジングのベースフレームに面する側面部の近傍部分に歯部を配設し、傾動軸と回転軸に対し直角となる向きの力を受ける歯部を側面部と一体化させて支えるようにすることにより、施療子側からの反力で駆動部が傾動しようとして、歯部がピニオンギヤ側から回転軸に対し直角となる向きに相対的に力を加えられる状況でも、歯部近傍のハウジング側面部の変形しにくさに伴って歯部のハウジング上の位置も変化することはなく、歯部に加わる力が基となってハウジングが変形して破損に至ることを防止できると共に、歯部とピニオンギヤとの位置関係も保持して、ピニオンギヤと歯部による駆動力の伝達に基づく駆動部の傾動を適切に行わせることができる。
【００１３】
また、本発明の開示に係るマッサージ機の機械ユニットは必要に応じて、前記第一及び第二の各ベースフレームが、所定形状の金属平板における外周部分の複数箇所を、曲げ加工で起立状態として得られる成形体とされ、前記各ベースフレームにおける前記一の平面部が、前記金属平板における起立状態とされなかった残りの部位として形成され、前記各ベースフレームにおける前記他の平面部が、複数の起立部分のうちの一つとして形成されると共に、他の平面部を含む複数の起立部分が、当該各起立部分と前記一の平面部とが少なくとも溝状の横断面形状をなすように曲げ加工されるものである。
【００１４】
このように本発明の開示によれば、各ベースフレームを金属平板の折曲げで複数の起立部分を生じさせると共に、一部に溝形断面を有するものとして形成し、傾動軸又は回転軸と直角をなす向きに加わる力に対する剛性を付与するフレーム構造とすることにより、駆動部の傾動や施療子の作動に伴い駆動部が力を受けても、各ベースフレームでは各起立部分が曲げ応力に対する抵抗材として働くこととなり、ベースフレームの変形を確実に抑えられ、ベースフレーム上の傾動軸と回転軸の位置関係を不用意に変化させない状態を確保しつつ、機械ユニットをより軽量で簡略な構造にでき、製造コストを抑えられる。
【００１５】
また、本発明の開示に係るマッサージ機の機械ユニットは必要に応じて、前記回転軸が、前記第一及び第二のベースフレームの一方に配設される軸受部に軸支されると共に、ベースフレームの他方に配設される減速機構部に連結支持されて配設され、前記一の駆動源が一のモータとされ、モータの出力軸を前記減速機構部と連結して前記回転軸を駆動可能とされ、前記一のモータが、出力軸を前記回転軸と直角をなす向きとしてベースフレームの他方に重なるようにして支持され、前記減速機構部が、モータの出力軸に連結接続されるウォームと、当該ウォームと噛み合うウォームホイールと、当該ウォームホイールに対し回転軸と平行となる向きにずれた位置に配設され、ウォームホイールと前記回転軸との間に介在する一又は複数の減速段部とを有し、且つ、前記減速機構部が、前記回転軸の軸受を兼ねて回転軸端部の周囲に位置し、前記減速段部から回転軸に回転を伝えつつ回転軸端部を軸支するものである。
【００１６】
このように本発明の開示によれば、回転軸が各ベースフレーム上の軸受部と減速機構部に支持され、駆動源としてのモータを減速機構部と接続し、回転軸と直角をなす向きのモータ出力軸から減速機構部のウォームとウォームホイール、さらに減速段部を通じて回転軸へ駆動力を伝えることにより、減速を多段階化してウォームホイールを大型化せずに減速比を大きくすることができ、主にウォームホイールの大きさに依存する、回転軸と直角をなす各方向への減速機構部の突出量を抑えられ、機械ユニットにおける突出部分を減らすことができる。また、減速段部を設けて、ウォームホイールの大型化を招くことなく大きな減速比を設定できることで、一般に定格回転が低速になるほど大型化する傾向にあるモータについて、小型化を図ることができる上、減速段部は、ウォームホイールに対し機械ユニット全体の大きさに影響を与えにくい回転軸と平行な向きにずらして配置されることで、減速機構部として大減速比を確保しつつ機械ユニットの寸法拡大を招かずに済むこととなり、機械ユニット全体としてはコンパクト化を実現できる。
【００１７】
また、本発明の開示に係るマッサージ機の機械ユニットは必要に応じて、前記傾動軸に対し平行となる中心軸を中心に回転可能として前記第一及び第二の各ベースフレームの外側部分にそれぞれ配設され、所定の他の駆動源により回転駆動されるローラ部を備え、前記駆動部が、前記傾動軸に相対回転可能として取付けられて支持され、前記傾動軸が、前記第一及び第二のベースフレームの一方に配設される減速機構部に連結されると共に、ベースフレームの他方に配設される軸受部に軸支されて配設され、第一及び第二の各ベースフレームを貫通した両端部に前記ローラ部をそれぞれ取り付けられ、且つ、第一又は第二のベースフレームに取り付けられた前記他の駆動源により駆動可能とされて、前記ローラ部の中心軸を兼ね、前記他の駆動源が他のモータとされ、モータの出力軸を前記減速機構部と連結して前記傾動軸を駆動可能とされ、前記他のモータが、出力軸を前記傾動軸と直角をなす向きとしてベースフレームの一方に重なるようにして支持され、前記減速機構部が、モータの出力軸に連結接続されるウォームと、当該ウォームと噛み合うウォームホイールと、当該ウォームホイールに対し傾動軸と平行となる向きにずれた位置に配設され、ウォームホイールと前記傾動軸との間に介在する一又は複数の減速段部とを有し、且つ、前記減速機構部が、前記傾動軸の軸受を兼ねて傾動軸の周囲で且つ駆動部のハウジングとベースフレームの一方における他の平面部との間に位置し、前記減速段部から傾動軸に回転を伝えつつ傾動軸端部を軸支し、前記マッサージ機の背もたれ部内部左右にそれぞれ配設される一対のガイドフレームに対し、前記ローラ部が各ガイドフレームを上下に走行可能に接触して、少なくとも前記傾動軸と駆動部がガイドフレーム間に挟まれる配置で背もたれ部上下方向に移動可能に支持されるものである。
【００１８】
このように本発明の開示によれば、所定の中心軸を中心に回転可能なローラ部が、各ベースフレーム外側部分に配設されると共に、駆動部を傾動可能に支持する傾動軸が、ローラ部の中心軸とされ、且つ駆動源で駆動されてローラ部を回転駆動可能として、背もたれ部内部の一対のガイドフレームに対しローラ部を上下に走行可能とすることにより、ローラ部で機械ユニットを背もたれ部上下方向に移動可能としつつ、駆動部を支える傾動軸がローラ部の中心軸をなして駆動源からローラ部への駆動力伝達に用いられる分、別途ローラ部を回転駆動する機構部分を配設せずに済み、機械ユニットを簡略な構造とすることができ、コストを抑えられる。また、傾動軸が各ベースフレーム上の軸受部と減速機構部に支持され、駆動源としてのモータを減速機構部と接続し、傾動軸と直角をなす向きのモータ出力軸から減速機構部のウォームとウォームホイール、さらに減速段部を通じて傾動軸へ駆動力を伝えることにより、減速を多段階化してウォームホイールを大型化せずに減速比を大きくすることができ、主にウォームホイールの大きさに依存する、傾動軸と直角をなす各方向への減速機構部の突出量を抑えられ、機械ユニットにおける突出部分を減らすことができる。さらに、減速段部を設けて、ウォームホイールの大型化を招くことなく大きな減速比を設定できることで、一般に定格回転が低速になるほど大型化する傾向にあるモータについて、小型化を図ることができる上、減速段部は、ウォームホイールに対し機械ユニット全体の大きさに影響を与えにくい傾動軸と平行な向きにずらして配置され、減速機構部そのものもベースフレームの他の平面部と駆動部との間の傾動軸周りに設けられることで、減速機構部として大減速比を確保しつつ機械ユニットの寸法拡大を招かずに済むこととなり、機械ユニット全体としてコンパクト化を実現できる。
【００１９】
また、本発明の開示に係るマッサージ機の機械ユニットは必要に応じて、前記第一及び第二の各ベースフレームにおける前記一の平面部に当該一の平面部の長手方向の全体にわたって配設され、一の平面部から背もたれ部の前側へ向けて所定高さ分突出状態とされるガイド体を備え、当該ガイド体における前記一の平面部長手方向の両端部が、丸みを帯びた曲面形状とされ、且つ一の平面部の長手方向両端に隣接するベースフレームの端面の近傍に前記曲面形状部分を位置させる配置とされてなるものである。
【００２０】
このように本発明の開示によれば、各ベースユニットの一の平面部にガイド体を配設し、ガイド体の端部をベースフレーム端面に連続する曲面形状としつつ、ガイド体を一の平面部から突出状態として、ガイド体を各ベースフレームで最も背もたれ部の前側に位置させることにより、機械ユニットが背もたれ部を上下に移動する場合に背もたれ部の表皮部裏面がベースフレームに接近する状態となっても、ガイド体が表皮部とベースフレームとの間に介在して表皮部とベースフレーム表面との接触を防ぎ、表皮部を保護できると共に、表皮部を介して使用者の身体がベースフレームに触れることも防止でき、使用者にベースフレームとの接触に基づく違和感を与えないようにすることができる。また、ガイド体端部の曲面形状部分がベースフレームの端面の近傍に配置されて、表皮部がベースフレーム端面に近づく際は、突出するガイド体の曲面形状部分が表皮部に接して、ベースフレームの端面やそのエッジ部分に表皮部を近づけないようにすることができ、上下移動の際のガイド体と表皮部との相対移動をスムーズなものにできると共に、ベースフレーム端部による表皮部裏面の傷付きを確実に防止できる。
【図面の簡単な説明】
【００２１】
【図１】本発明の一実施形態に係る機械ユニットを適用したマッサージ機の斜視図である。
【図２】本発明の一実施形態に係る機械ユニットを適用したマッサージ機のブロック図である。
【図３】本発明の一実施形態に係る機械ユニットの正面側の斜視図である。
【図４】本発明の一実施形態に係る機械ユニットの正面図である。
【図５】本発明の一実施形態に係る機械ユニットの左側面図である。
【図６】本発明の一実施形態に係る機械ユニットの平面図である。
【図７】本発明の一実施形態に係る機械ユニットの底面図である。
【図８】本発明の一実施形態に係る機械ユニットの背面側の斜視図である。
【図９】本発明の一実施形態に係る機械ユニットの一部省略背面図である。
【図１０】本発明の一実施形態に係る機械ユニットの側端部とガイドフレームとの位置関係説明図である。
【図１１】本発明の一実施形態に係る機械ユニットの揉み玉に外力が加わる状況での回転軸への力の付加状態説明図である。
【発明を実施するための形態】
【００２２】
以下、本発明の一実施形態に係るマッサージ機の機械ユニットを前記図１ないし図１１に基づいて説明する。
前記各図において本実施形態に係る機械ユニット１０は、着座した使用者を支える椅子形のマッサージ機１における背もたれ部１３の内部に配設され、前記施療子としての揉み玉２０を動かしてマッサージを実行可能とするものである。
【００２３】
この本実施形態に係る機械ユニット１０を有するマッサージ機１は、床面上に載置されて椅子全体を安定的に支持する基台部１１と、この基台部１１の上方で使用者の臀部を支える座部１２と、この座部１２の後側で使用者の背中を支える背もたれ部１３と、座部１２の左右両側で使用者の肘や前腕部を支える肘掛部１４と、座部１２の前側で使用者の脚を支える脚支持部１５と、使用者の各種操作入力を受付ける操作部３０と、機械ユニット１０をはじめとして搭載されている複数の施療手段におけるマッサージに係る作動を、操作入力や記録情報等の内容に基づいて制御する制御部４０とを備える構成である。
【００２４】
前記基台部１１は、椅子各部をなす前記座部１２、背もたれ部１３、肘掛部１４、及び脚支持部１５を一体に取付けられてこれらを支持するものである。また、前記座部１２は、基台部１１に対し座面の傾斜角度を調整可能として取付けられ、座面にて使用者の臀部や太腿部を支えつつ内蔵の施療手段でマッサージを実行するものである。この座部１２の施療手段としては、空気の給排で動作する臀部用エアセル７１、及び太腿用エアセル７２を備える構成である。これらエアセルを空気の給排で動作させるエアポンプ７０が座部１２下側のスペースに配設される。
【００２５】
前記背もたれ部１３は、人の背中形状に合せた表面形状とされて前記基台部１１及び座部１２に対し傾斜角度を調整可能として配設され、その内部に、マッサージを実行する施療手段を備える構成である。
【００２６】
背もたれ部１３内部には、施療子としての左右一対の揉み玉２０とこれを作動させる駆動部５０が一体となった機械ユニット１０と、この機械ユニット１０を背もたれ部１３上下方向に移動可能に支持しつつ、背もたれ部の各部を内部から支える枠状の背もたれ部フレーム１３ａと、前記エアポンプ７０による空気の給排で動作する背中用エアセル７３及び腰用エアセル７４とがそれぞれ配設される構成である。このうち機械ユニット１０、背中用エアセル７３、及び腰用エアセル７４が、それぞれマッサージを実行する施療手段をなす。
【００２７】
なお、この背もたれ部１３の左右両側部には、使用者に面する内面側にエアセル等の施療手段を設けた一対の側壁部を突出配設して、使用者の上腕部等に対して側方からマッサージを行えるようにすることもできる。
【００２８】
前記背もたれ部フレーム１３ａは、機械ユニット１０を背もたれ部１３上下方向に移動可能とし且つ他方向への動きは拘束して支持する左右一対のガイドフレーム１３ｂ間に、複数の横フレームを横方向に掛渡して一体に連結して、略梯子状のフレーム構造とされるものである。
【００２９】
前記ガイドフレーム１３ｂは、略コ字状の断面形状を有すると共に、人の背中形状に合せた背もたれ部１３の表面に沿う長手方向形状とされてなり、一対を背もたれ部内部左右にそれぞれ配設される構成である。この対をなす二つのガイドフレーム１３ｂに挟まれる配置で、前記機械ユニット１０がガイドフレーム１３ｂに沿って移動可能に配設される。このガイドフレーム１３ｂの内周に、樹脂製のラック１３ｃが機械ユニット１０の上下動範囲にわたる長さとして配設される。
【００３０】
これらガイドフレーム１３ｂは、背もたれ部１３の内部で機械ユニット１０を背もたれ部上下方向に移動可能とし且つ他方向への動きは拘束して支持することとなる。
【００３１】
前記機械ユニット１０は、揉み、叩き等の刺激を使用者に与える左右一対の揉み玉２０と、この揉み玉２０を突出状態で支持する左右一対の揉み玉支持アーム２１と、この揉み玉支持アーム２１を介して揉み玉２０を揉み、叩き等のマッサージに対応させて動かす駆動部５０と、背もたれ部上下方向と直角をなす向きとして配設され、駆動部５０を傾動可能に支持する傾動軸２２と、この傾動軸２２と中心を一致させた外歯車と同じ歯形配置として形成され、駆動部５０の外側に固定配設される歯部５４と、傾動軸２２と平行な向きとして歯部５４の近傍に配設される回転軸２３と、この回転軸２３を中心に回転可能に配設されて歯部５４に噛合するピニオンギヤ２４と、傾動軸２２の一端部及び回転軸２３の一端部をそれぞれ回転可能に支持する第一のベースフレーム２５と、傾動軸２２の他端部及び回転軸２３の他端部をそれぞれ回転可能に支持する第二のベースフレーム２６と、第一及び第二の各ベースフレーム２５、２６における所定の平面部２５ａ、２５ｂに背もたれ部１３の前側へ向けて所定高さ分突出状態とされて配設されるガイド体１７、１８と、第一及び第二の各ベースフレーム２５、２６の外側部分にガイドフレーム１３ｂを上下に走行可能として配設されるローラ部２７とを備える構成である。
【００３２】
前記駆動部５０は、揉み玉２０を作動させる内部機構部分を外から取り囲む略箱状のハウジング５１と、このハウジング５１に取り付けられ、制御部４０の制御に基づいて揉み玉２０に揉みのマッサージを行わせるための駆動力を発生させる揉み用モータ６３と、ハウジング５１内に配設され、制御部４０の制御に基づいて揉み玉２０に叩きのマッサージを行わせるための駆動力を発生させる叩き用モータ６４と、ハウジング５１内に配設されて、揉み用モータ６３や叩き用モータ６４からの駆動力に基づいて揉み玉支持アーム２１を介して揉み玉２０を動かす前記内部機構としての揉み機構及び叩き機構（図示を省略）とを備える構成である。なお、駆動部５０における各モータや内部機構については、公知のマッサージ機に用いられるものと同様のものであり、詳細な説明を省略する。
【００３３】
前記ハウジング５１は、複数の外殻部材５２、５３を傾動軸２２と回転軸２３に対し平行となる向きに連結して一体に組み合わせて形成され、傾動軸２２に対し相対回転可能な状態で支持される構成である。これにより、ハウジング５１を含む駆動部５０が回転軸２３や第一及び第二の各ベースフレーム２５、２６に対し傾動可能とされる。
【００３４】
このハウジング５１をなす外殻部材のうち、前記第一のベースフレーム２５に最も近い外殻部材５２は、第一のベースフレーム２５に面する端部を、傾動軸２２と回転軸２３に対し直角となる向きの連続した側面部５２ａとして形成される。また、ハウジング５１をなす外殻部材のうち、前記第二のベースフレーム２６に最も近い外殻部材５３は、第二のベースフレーム２６に面する端部を、傾動軸２２と回転軸２３に対し直角となる向きの連続した側面部５３ａとして形成される。
【００３５】
また、ハウジング５１における第一のベースフレーム２５に面する外殻部材５２の側面部５２ａ近傍部分と、第二のベースフレーム２６に面する外殻部材５３の側面部５３ａ近傍部分には、歯部５４がそれぞれ固定配設される。
【００３６】
この歯部５４は、傾動軸２２と中心を一致させた所定ピッチ円径の外歯車と同じ歯形として並べて形成される複数の歯を有し、ハウジング５１に固定配設されて駆動部５０の外側に配置される構成である。歯部５４は、前記ピニオンギヤ２４と噛合し、ピニオンギヤ２４の回転に伴って傾動軸２２を中心に傾動することで、ハウジング５１をはじめとする駆動部５０を傾動させる仕組みであるが、駆動部５０と一体に傾動する揉み玉２０に対し、背もたれ部１３にもたれた場合の使用者の背面位置を越えて突出可能となる傾動範囲を与えることのできる、十分な歯の配設数として形成される。
【００３７】
前記ピニオンギヤ２４は、回転軸２３を中心に回転可能に配設されて駆動部５０側の歯部５４に噛合する歯車であり、回転軸２３を介して前記一の駆動源としての進退用モータ６１により回転駆動されるものである。
【００３８】
前記第一のベースフレーム２５は、長手方向が傾動軸２２及び回転軸２３と直角をなす向きとされる金属製の部材であり、傾動軸２２の一端部及び回転軸２３の一端部をそれぞれ回転可能に支持するものである。
【００３９】
前記第二のベースフレーム２６は、長手方向が前記傾動軸及び回転軸と直角をなす向きとされる金属製の部材であり、傾動軸２２の他端部及び回転軸２３の他端部をそれぞれ回転可能に支持するものである。
【００４０】
詳細には、第一及び第二の各ベースフレーム２５、２６は、所定形状の金属平板における外周部分の複数箇所を、曲げ加工で起立状態他として得られる成形体とされ、傾動軸２２と回転軸２３に対し平行又は直角となる複数の平面部を有すると共に、傾動軸２２及び回転軸２３と直角をなす向きに連続する複数の角部で平面部が交わる形状とされる。
【００４１】
複数の平面部には、傾動軸２２と回転軸２３との背もたれ部上下方向における軸間距離を超える所定の大きさで、且つ、傾動軸２２と回転軸２３に対し平行となる一の平面部２５ａ、２６ａ、及び、傾動軸２２と回転軸２３に対し直角となる他の平面部２５ｂ、２６ｂが含まれており、このうち一の平面部２５ａ、２６ａを背もたれ上下方向に沿う配置とされる。
【００４２】
そして、各ベースフレーム２５、２６では、一の平面部２５ａ、２６ａと他の平面部２５ｂ、２６ｂは、所定の角部で直接交わるように配置され、一の平面部２５ａ、２６ａの傾動軸２２と回転軸２３に対し平行となる向きの大きさに対して、他の平面部２５ｂ、２６ｂにおける前記所定の角部の連続する方向に対し直角となる向きの大きさを、より大きくして形成される。
【００４３】
より具体的には、各ベースフレーム２５、２６における一の平面部２５ａ、２６ａは、前記金属平板における起立状態とされなかった残りの部位として形成される。また、他の平面部２５ｂ、２６ｂは、複数の起立部分のうちの一つとして形成される。加えて、他の平面部２５ｂ、２６ｂを含む複数の起立部分は、これら各起立部分と一の平面部２５ａ、２６ａとが溝状の横断面形状部分を少なくとも有するように曲げ加工されることとなる。そして、第一及び第二の各ベースフレーム２５、２６の各起立部分は、折曲げ位置である角部を、傾動軸２２及び回転軸２３と直角をなす向きとして折曲げ形成され、起立部分も傾動軸２２と回転軸２３に対し直角となる。
【００４４】
起立部分のうち、各ベースフレーム２５、２６の外側に位置して各ベースフレーム２５、２６の側端部としてガイドフレーム１３ｂに面する他の平面部２５ｂ、２６ｂの大きさが、傾動軸２２と平行となる一の平面部２５ａ、２６ａの大きさ以上となるようにして折曲げ形成される。これにより、各ベースフレーム２５、２６は、傾動軸と平行となる向きの大きさより、起立部分の起立高さに相当する背もたれ部前後方向の大きさが大きくなる。そして、各ベースフレーム２５、２６の他の平面部２５ｂ、２６ｂは、端部をさらに折り曲げ加工されて、一の平面部２５ａ、２６ａと平行となる別の平面部２５ｃ、２６ｃを形成されており、この別の平面部２５ｃ、２６ｃに減速機構部５６又は軸受部５５を固定配設されることとなる。
【００４５】
前記第一のベースフレーム２５には、傾動軸２２の一端部を連結される減速機構部５７が配設されると共に、回転軸２３の一端部を軸支する軸受部５５が配設される。
【００４６】
また、前記他の駆動源としての昇降用モータ６２が、モータの出力軸を傾動軸２２と直角をなす向きとして第一のベースフレーム２５に重なるようにして支持され、出力軸を減速機構部５７と連結して傾動軸２２を駆動可能とされる。この昇降用モータ６２は、減速機構部５７を介して第一のベースフレーム２５に取り付けられ、制御部４０の制御に基づいて機械ユニット１０昇降用の駆動力を発生させる。
【００４７】
前記減速機構部５７は、昇降用モータ６２の出力軸に連結接続されるウォーム５７ａと、このウォーム５７ａと噛み合うウォームホイール５７ｂと、このウォームホイール５７ｂに対し傾動軸２２と平行となる向きにずれた位置に配設され、ウォームホイール５７ｂと傾動軸２２との間に介在する一又は複数の減速段部５７ｃとを有するものである。また、減速機構部５７は、傾動軸２２の軸受を兼ねて、傾動軸２２の周囲で且つ駆動部５０のハウジング５１と第一のベースフレーム２５における他の平面部２５ｂとの間に位置し、減速段部５７ｃから傾動軸２２に回転を伝えつつ傾動軸２２端部を軸支している。
【００４８】
この第一のベースフレーム２５上で昇降用モータ６２を減速機構部５７と接続し、傾動軸２２と直角をなす向きのモータ出力軸から減速機構部５７のウォーム５７ａとウォームホイール５７ｂ、さらに減速段部５７ｃを通じて傾動軸２２へ駆動力を伝えることで、減速を多段階化してウォームホイール５７ｂを大型化せずに減速比を大きくすることができ、主にウォームホイール５７ｂの大きさに依存する、傾動軸２２と直角をなす各方向への減速機構部５７の突出量を抑えられ、機械ユニット１０における突出部分を減らすことができる。また、減速段部５７ｃを設けて、ウォームホイール５７ｂの大型化を招くことなく大きな減速比を設定できることで、一般に定格回転が低速になるほど大型化する傾向にあるモータについて、小型化を図ることができる。さらに、減速段部５７ｃは、ウォームホイール５７ｂに対し機械ユニット１０全体の大きさに影響を与えにくい傾動軸２２と平行な向きにずらして配置されており、減速機構部５７そのものも第一のベースフレーム２５の他の平面部２５ｂと駆動部５０との間の傾動軸２２周りに効率よく収められる形で設けられることで、減速機構部５７として大減速比を確保しつつ機械ユニット１０の寸法拡大を招かずに済むこととなり、機械ユニット１０全体としてはコンパクト化を実現できる。
【００４９】
前記第二のベースフレーム２６には、傾動軸２２の他端部を軸支する軸受部５８が配設されると共に、回転軸２３の他端部を連結支持する減速機構部５６が配設される。
【００５０】
また、前記一の駆動源としての進退用モータ６１が、モータの出力軸を回転軸２３と直角をなす向きとして第二のベースフレーム２６に重なるようにして支持され、出力軸を減速機構部５６と連結して回転軸２３を駆動可能とされる。この進退用モータ６１は、減速機構部５６を介して第二のベースフレーム２６に取付けられ、制御部４０の制御に基づいて駆動部５０を傾動させる駆動力を発生させる。
【００５１】
前記減速機構部５６は、進退用モータ６１の出力軸に連結接続されるウォーム５６ａと、このウォーム５６ａと噛み合うウォームホイール５６ｂと、このウォームホイール５６ｂに対し回転軸２３と平行となる向きにずれた位置に配設され、ウォームホイール５６ｂと回転軸２３との間に介在する一又は複数の減速段部５６ｃとを有するものである。また、減速機構部５６は、回転軸２３の軸受を兼ねて回転軸２３端部の周囲に位置し、減速段部５６ｃから回転軸２３に回転を伝えつつ回転軸２３端部を軸支している。
【００５２】
第２のベースフレーム２６上で進退用モータ６１を減速機構部５６と接続し、回転軸２３と直角をなす向きのモータ出力軸から減速機構部５６のウォーム５６ａとウォームホイール５６ｂ、さらに減速段部５６ｃを通じて回転軸２３へ駆動力を伝えることで、減速を多段階化してウォームホイール５６ｂを大型化せずに減速比を大きくすることができ、主にウォームホイール５６ｂの大きさに依存する、回転軸２３と直角をなす各方向への減速機構部５６の突出量を抑えられ、機械ユニット１０における突出部分を減らすことができる。
【００５３】
また、減速段部５６ｃを設けて、ウォームホイール５６ｂの大型化を招くことなく大きな減速比を設定できることで、一般に定格回転が低速になるほど大型化する傾向にあるモータについて、小型化を図ることができる上、減速段部５６ｃは、ウォームホイール５６ｂに対し機械ユニット１０全体の大きさに影響を与えにくい回転軸２３と平行な向きにずらして配置されることで、減速段部５６ｃとして大減速比を確保しつつ機械ユニット１０の寸法拡大を招かずに済むこととなり、機械ユニット全体としてはコンパクト化を実現できる。
【００５４】
これら第一及び第二の各ベースフレーム２５、２６に対し、傾動軸２２が、その一端部を第一のベースフレーム２５の減速機構部５７に連結されると共に、他端部を第二のベースフレーム２６の軸受部５８に軸支されて配設される。また、回転軸２３が、その一端部を第一のベースフレーム２５の軸受部５５に軸支されると共に、他端部を第二のベースフレーム２６の減速機構部５６に連結支持されて配設される。こうして、傾動軸２２と回転軸２３、第一及び第二の各ベースフレーム２５、２６が枠状に連結されることとなる。
【００５５】
こうしてベースフレームと各軸とを組み合わせて枠状に一体化すると共に、各軸を支えるベースフレームをそれぞれ一枚の金属板の折曲げで形成し、且つ曲げで生じさせた起立部分により剛性を確保することで、構造を簡略化できると共に軽量化も図れる。
【００５６】
そして、傾動軸２２と回転軸２３、第一及び第二の各ベースフレーム２５、２６が枠状に連結され、第一及び第二の各ベースフレーム２５、２６に傾動軸２２がその軸方向を背もたれ部上下方向に対し直交する向きとして回転可能に支持され、この傾動軸２２周りに駆動部５０のハウジング５１が相対回転可能に支持されることで、駆動部５０は、傾動軸２２を傾動中心として、第一及び第二の各ベースフレーム２５、２６間で傾動可能となるように支持される仕組みである。
【００５７】
前記ガイド体１７、１８は、第一及び第二の各ベースフレーム２５、２６における一の平面部２５ａ、２６ａに、これら一の平面部２５ａ、２６ａの長手方向の全体にわたって配設され、一の平面部２５ａ、２６ａから背もたれ部１３の前側へ向けて所定高さ分突出状態とされ、一の平面部２５ａ、２６ａの表面に突出するねじ等の部材の端部を一種のカバーとして覆う構成である。また、これらガイド体１７、１８は、一の平面部２５ａ、２６ａ長手方向の両端部を、丸みを帯びた曲面形状とされ、且つ一の平面部２５ａ、２６ａの長手方向両端に隣接するベースフレーム２５、２６の端面の近傍に前記曲面形状部分１７ａ、１７ｂ、１８ａ、１８ｂが位置する配置とされる構成である。
【００５８】
こうして各ベースユニット２５、２６の一の平面部２５ａ、２６ａに突出状態で配設されたガイド体１７、１８は、各ベースフレーム２５、２６上で最も背もたれ部１３の前側に位置するものとなっている。これにより、機械ユニット１０が背もたれ部１３を上下方向に移動する場合に、背もたれ部１３の表皮部裏面が各ベースフレーム２５、２６に接近する状態となっても、ガイド体１７、１８が表皮部とベースフレーム２５、２６との間に介在して表皮部とベースフレーム表面やこの表面で突出する部材端部との接触を防ぎ、表皮部を保護できると共に、表皮部を介して使用者の身体がベースフレーム２５、２６に触れることも防止でき、使用者にベースフレームとの接触に基づく違和感を与えないようにすることができる。また、ガイド体１７、１８端部の曲面形状部分１７ａ、１７ｂ、１８ａ、１８ｂがベースフレーム２５、２６の端面の近傍に配置されて、表皮部がベースフレーム端面に近づく際は、突出するガイド体１７、１８の曲面形状部分１７ａ、１７ｂ、１８ａ、１８ｂが表皮部に接して、ベースフレーム２５、２６の端面やそのエッジ部分に表皮部を近づけないようにすることができ、ベースフレーム端部による表皮部裏面の傷付きを防止できる。そして、曲面形状部分１７ａ、１７ｂ、１８ａ、１８ｂ自体は、表皮部と滑らかに接することができ、表皮部の引っ掛かり等が生じることはなく、機械ユニット１０移動の際のガイド体１７、１８と表皮部との相対移動をスムーズなものにできる。
【００５９】
また、第一及び第二の各ベースフレーム２５、２６の間は、連結桿４１により連結されており、当該連結桿は、各ベースフレーム２５、２６の平面部のうち、傾動軸２２と回転軸２３と平行となる一の平面部２５ａ、２６ａにネジにより固定されている。このように第一及び第二の各ベースフレームを、それぞれの一の平面部において連結管を固定することで連結すると傾動軸２２と回転軸２３と直角となる他の平面部２５ｂ、２６ｂに連結桿４１を取り付けた場合に比べ固定面のたわみが少なく、連結桿による強度向上に大きく寄与出来る。  
【００６０】
前記ローラ部２７は、傾動軸２２に対し平行となる中心軸を中心に回転可能として第一及び第二の各ベースフレーム２５、２６の外側部分に配設され、昇降用モータ６２により回転駆動されてガイドフレーム１３ｂを上下に走行し、機械ユニット１０をガイドフレーム１３ｂに対し移動させるものである。
【００６１】
ローラ部２７は、各ベースフレーム２５、２６の側端に位置する他の平面部２５ｂ、２６ｂにおける一の平面部２５ａ、２６ａ寄りの所定箇所で、この他の平面部２５ｂ、２６ｂを貫通した傾動軸２２の両端部にそれぞれ取り付けられ、前記中心軸を兼ねるこの傾動軸２２と一体に回転可能として配設され、第二のベースフレーム２６上の昇降用モータ６２が減速機構部５７を介して傾動軸２２を回転駆動することに伴い、回転する仕組みである。
【００６２】
ローラ部２７は、各ベースフレーム２５、２６における他の平面部２５ｂ、２６ｂ寄りの端部を歯車状に形成される歯車部２７ａ、残りの他部分を円筒面状の案内面部２７ｂとして形成される構成である。
【００６３】
このローラ部２７に加え、各ベースフレーム２５、２６の他の平面部２５ｂ、２６ｂにおける別の所定箇所にはガイドローラ２８がそれぞれ回動可能に取付けられている。
【００６４】
このローラ部２７に加え、各ベースフレーム２５、２６の他の平面部２５ｂ、２６ｂにおける別の所定箇所にはガイドローラ２８がそれぞれ回転可能に取付けられている。このガイドローラ２８は、ローラ部２７と同様の歯車部と案内面部とを有するものであるが、各ベースフレーム２５、２６に各々独立に回転可能として配設され、且つ、各ベースフレーム２５、２６の他の平面部２５ｂ、２６ｂからの突出量をローラ部２７よりわずかに大きくされる構成である（図４参照）。
【００６５】
機械ユニット１０の両側に位置させたこれらローラ部２７とガイドローラ２８を、背もたれ部１３内の一対のガイドフレーム１３ｂに挿嵌すると共に、ローラ部２７の歯車部２７ａをガイドフレーム１３ｂのラック１３ｃと噛合させ、且つ案内面部２７ｂをガイドフレーム１３ｂにおけるラック１３ｃのある面の対向面に転がり接触するようにして走行可能とすることで、傾動軸２２や各ベースフレーム２５、２６をはじめとする機械ユニット１０がガイドフレーム１３ｂ間に支持され、機械ユニット１０は背もたれ部上下方向に移動可能で且つ他方向への動きを拘束されることとなる。
【００６６】
ローラ部２７が、昇降用モータ６２による駆動に伴って回転することで、ラック１３ｃとの噛合位置を変えてガイドフレーム１３ｂを走行する状態となり、同時に機械ユニット１０全体をガイドフレーム１３ｂに沿って背もたれ部１３の上下に移動させ、背もたれ部１３における揉み玉２０の位置（揉み玉によるマッサージ対象部位）を上下に変えられる仕組みとなっている。
【００６７】
ガイドフレーム１３ｂの形状や配置の精度によっては、機械ユニット１０の背もたれ部上下方向への移動可能範囲内で機械ユニット１０と一対のガイドフレーム１３との横方向（傾動軸２２及び回転軸２３と平行となる向き）における位置関係が一定とならず、機械ユニット１０の上下移動時に、ガイドフレーム１３ｂに対し機械ユニット１０のローラ部２７及びガイドローラ２８が相対的に横方向への振れを伴って移動する状態となる。このような場合でも、あらかじめ従動側となるガイドローラ２８の他の平面部２５ｂ、２６ｂからの突出量を、駆動側となるローラ部２７より大きくしていることで、ガイドフレーム１３ｂに対しローラ部２７とガイドローラ２８が過度に近づいた際に、ガイドフレーム１３ｂの傾動軸２２及び回転軸２３と直角となる内面とガイドローラ２８の横方向端面とが専ら接触して、ガイドフレーム１３ｂとローラ部２７の横方向端面との接触は生じにくくなっており、駆動力を受けて回転するローラ部２７の横方向端面がガイドフレーム１３ｂと接触して摩擦抵抗が生じ、駆動負荷が増大する事態を避けることができる。
また、従動側は駆動側を起点として横ブレしやすいため、従動側のみ横方向を規制することで安定した走行を行うことが出来る。
【００６８】
更には、ガイドフレーム１３ｂと機械ユニット１０の横方向の配置関係の精度は、端面の接触の可能性のあるガイドローラ２８が担うこととなり、各ベースフレーム２５、２６に個別に取り付けられるガイドローラ２８で比較的容易に対応して精度を確保できる。そして、ローラ部２７の配置関係の精度は高く設定せずに済むこととなる。本実施形態におけるローラ部２７の場合、ローラ部２７の配置関係について所定の精度を得るためには、ローラ部２７のみにとどまらず傾動軸２２やその支持機構を含むローラ部２７の支持に係る機構全体に及ぶ精度の追求は欠かせないが、こうした精度の条件を緩くすることができることから、その分製造工程を簡略化でき、機械ユニットの製造に係るコストを抑えられる。
【００６９】
前記肘掛部１４は、座部１２の両側に配設され、背もたれ部１３がリクライニング角度を変化させたり、座部１２が傾動した場合でも、使用者の前腕を安定的に支持するよう形成される構成である。この肘掛部１４にも、前記エアポンプ７０による空気の給排で動作するエアセルを配設して、使用者の前腕部に対しマッサージを行える構成としてかまわない。
【００７０】
前記脚支持部１５は、座部１２の前側に位置し、座部１２前端付近を中心として傾動可能に配設され、内蔵のアクチュエータ（図示を省略）により傾斜角度を調整されるものである。この脚支持部１５にも、前記エアポンプ７０による空気の給排で動作する脚用エアセルや、上下に移動しつつ脚を押圧するローラ等の施療手段を配設するようにしてかまわない。
【００７１】
前記操作部３０は、マッサージ機に対する各種操作入力を受付ける多数のスイッチや表示部を備え、マッサージ機１の側部におけるスタンド３１に着脱自在に設置され、マッサージに係る操作入力を制御部４０に送信するものである。なお、操作部３０のスイッチや表示部の位置を使用者にとって最適位置とするために、スタンド３１の位置は調整可能となっている。
【００７２】
前記制御部４０は、あらかじめ使用者の身体各部位置検出を実行して得られた検出結果に基づいて、施療手段やマッサージ機の他の各可動部分を使用者に対応した状態に調整すると共に、施療手段や他の各可動部分に対し、操作部３０の操作やあらかじめ記録設定された施療内容、また前記検出結果の情報に基づいて、適切な施療の実行のための制御を行うものである。
【００７３】
この制御部４０は、そのハードウェア構成として、ＣＰＵやメモリ、入出力インターフェース等を備えるコンピュータとなっており、メモリ等に格納されるプログラムにより、コンピュータを制御部４０として動作させる仕組みである。この制御部４０をなすコンピュータは、ＣＰＵやメモリ、ＲＯＭ等を一体的に形成されたマイクロコンピュータとしてもかまわない。
【００７４】
この制御部４０をなすコンピュータのユニットは、主要部が座部１２直下等のマッサージ機１内部の所定のスペースに配設されると共に、機械ユニット１０の各種モータの制御に係る部分が、ユニット用制御回路部として機械ユニット１０上に配設される構成である。（図示省略）そして、制御部４０は、操作部３０と通信可能な状態とされると共に、機械ユニット１０の各種モータや、座部１２や背もたれ部１３、脚支持部１５を傾動させる各アクチュエータ、エアポンプ７０とそれぞれ電気的に接続され、使用者の身体各部位置検出の際にはあらかじめ設定された位置検出用プログラムに基づく制御信号出力により、また、マッサージ実行の際には設定されたマッサージのデータに基づく制御信号出力により、これらの駆動機構の作動を制御する。
【００７５】
加えて、制御部４０は、機械ユニット１０や各アクチュエータの変位量を出力するエンコーダ等の信号出力手段とも電気的に接続されており、機械ユニット１０の状態や、座部１２、背もたれ部１３、及び脚支持部１５の傾斜等の状態を把握しつつ、モータやアクチュエータ等の駆動手段の作動制御を行うこととなる。
【００７６】
この他、制御部４０は、公知のマッサージ機と同様に、マッサージに先立つ使用者の身体各部位置検出として、機械ユニット１０を制御し、機械ユニット１０を背もたれ部１３における初期位置からガイドフレーム１３ｂに沿って移動させ、揉み玉２０を使用者に沿って動かす過程で、背もたれ部１３にもたれた使用者側からの揉み玉２０に対する圧力の変化や揉み玉２０の傾き変化等を順次取得し、この情報に基づいて、使用者の肩位置、背骨のライン、腰位置を検出することもできる。
【００７７】
次に、本実施形態に係るマッサージ機の機械ユニットの作動状態について説明する。前提として、マッサージ機１に使用者が着座して背中を背もたれ部１３にもたれさせた状態で、マッサージ機１の主電源が入とされ、マッサージ機１が起動して、使用者の体形検出などのマッサージ開始前の準備動作や、背もたれ部１３等の傾斜角度調整等が完了し、さらに、使用者によりマッサージコース等の動作状態指示が入力されて、制御部４０が使用者に対する揉み玉によるマッサージを既に実行しているか、これからマッサージを実行しようとしているものとする。
【００７８】
揉み玉２０によるマッサージの場合、設定されたマッサージ内容に応じて、制御部４０は、昇降用モータ６２を作動させて各ローラ部２７を回転させ、ガイドフレーム１３ｂに対し機械ユニット１０全体を上下に移動させ、揉み玉２０の上下位置を調整する。
【００７９】
加えて、制御部４０は、あらかじめ設定された量、又は、使用者による入力指示に従って調整された量だけ、揉み玉２０を使用者に対し進退させるように、進退用モータ６１を作動させて回転軸２３をピニオンギヤ２４ごと回転させ、ピニオンギヤ２４と歯部５４との噛合に基づいて駆動部５０を機械ユニット１０の他部に対し傾動させる。この駆動部５０の傾動により、一体の揉み玉２０を使用者に対し進退させて、揉み玉２０の使用者側への突出量を調整して、揉み玉２０をマッサージ対象箇所に位置させる。
【００８０】
この後、又はこうした揉み玉２０の移動と並行して、制御部４０は、マッサージの種類に応じて、揉み用モータ６３及び／又は叩き用モータ６４を作動させ、設定された揉みや叩き等のマッサージに対応した動きを揉み玉２０に行わせる。
【００８１】
使用者側に突出する揉み玉２０が使用者に接触すると、揉み玉２０が使用者から受ける反力は、揉み玉支持アーム２１や内部機構を経て駆動部５０のハウジング５１に伝わる。この力に対し、ハウジング５１は傾動軸２２で支持されると共に、ハウジング５１外側の歯部５４とピニオンギヤ２４との噛合により回転軸２３にも支持されることで、設定された位置を保つ。揉み玉２０が受ける反力は傾動軸２２と回転軸２３に対し直角となる向きの応力としてハウジング５１に作用し、ハウジング５１自体を変形させようとするが、ハウジング５１を二つの外殻部材５２、５３の組み合わせで形成し、各外殻部材５２、５３は傾動軸２２と回転軸２３に対し平行となる向きに連結一体化されると共に、第一のベースフレーム２５に最も近い外殻部材５２におけるベースフレーム２５に面する端部と、第二のベースフレーム２６に最も近い外殻部材５３におけるベースフレーム２６に面する端部とを、それぞれ傾動軸２２と回転軸２３に対し直角となる向きに連続する側面部５２ａ、５３ａとして形成して、これら側面部５２ａ、５３ａを傾動軸２２と回転軸２３に対し直角となる向きに変形しにくくしている。
【００８２】
これにより、揉み玉２０側からの反力が傾動軸２２と回転軸２３に対し直角となる向きの応力としてハウジング５１に加わって、ハウジング５１自体を変形させようとしても、こうした力の向きと平行に連続する外殻部材５２、５３の側面部５２ａ、５３ａがその形状を維持して外殻部材他部分の変形を抑えられる。これに加えて、各外殻部材５２、５３同士の連結面が力の向きと平行となって、隣接する外殻部材５２、５３間にこれら外殻部材同士を過剰に近づけたり引き離したりするような力は生じにくいことで、ハウジング５１の連結された各外殻部材５２、５３が変形して破損に至ることを確実に防止できる。
【００８３】
また、ハウジング５１における側面部５２ａ、５３ａの近傍部分に歯部５４を配設し、力が加わる歯部５４を側面部５２ａ、５３ａと一体化させて支えるようにすることで、揉み玉２０側からの反力で駆動部５０が傾動しようとして、歯部５４がピニオンギヤ２４側から回転軸２３に対し直角となる向きに相対的に力を加えられる状況でも、歯部５４近傍のハウジング側面部５２ａ、５３ａの変形しにくさに伴って歯部５４のハウジング５１上の位置も変化することはなく、歯部５４に加わる力が基となってハウジング５１が変形して破損に至ることを防止できると共に、歯部５４とピニオンギヤ２４との位置関係も保持して、ピニオンギヤ２４と歯部５４による駆動力の伝達も適切に実行させられる。
【００８４】
さらに、使用者側に突出する揉み玉２０が使用者に接触している状況では、ピニオンギヤ２４が歯部５４に噛合してこれに押圧力を加える一方で、揉み玉２０が使用者から受ける反力に伴って、ピニオンギヤ２４は同時に歯部５４側から大きな反力を受けている。これにより、ピニオンギヤ２４から力を伝えられる回転軸２３が、駆動部５０や歯部５４の傾動の中心である傾動軸２２に対する位置を変えようとする力を相対的に受ける状態、すなわち、傾動軸２２と回転軸２３の相互の位置関係を変えようとする力が各ベースフレーム２５、２６に加わる状態となる。
【００８５】
この各ベースフレーム２５、２６に加わる力は、傾動軸２２や回転軸２３と直角をなす向きの力で、各ベースフレーム２５、２６に曲げの応力として作用するが、各ベースフレーム２５、２６をこうした向きの力に対し変形しにくい構造、具体的には、傾動軸２２と回転軸２３の軸間にわたる配置で各軸と平行な一の平面部２５ａ、２６ａに対し、これと直角をなす向きに連続する起立部分を複数設け、その中で特に傾動軸２２と回転軸２３の軸間にわたる配置とされる他の平面部２５ｂ、２６ｂを、一の平面部２５ａ、２６ａより大きくした構造としていることで、各ベースフレーム２５、２６の変形を防止でき、ベースフレーム２５、２６上の傾動軸２２及び回転軸２３の位置関係を維持することができる。
【００８６】
このため、例えば駆動部５０上の歯部５４と回転軸２３上のピニオンギヤ２４との噛合状態が浅くなるなどの、部品同士の連結、連動が不十分となるような変化は生じず、揉み玉２０が使用者に接触して大きな力を受けた場合でも、機械ユニット１０の各部品に異常な力が集中的に加わるようなことはなく、部品の破損を防止でき、使用者に影響が及ぶことも防げる。
【００８７】
そして、機械ユニット１０の各部で不要な位置関係の変化が生じにくいことで、制御部４０で各機構を精度よく動かすことができ、使用者への適切なマッサージを安定して継続実行でき、また正確なタイミングでマッサージを終了できる。
【００８８】
このように、本実施形態に係るマッサージ機の機械ユニットは、駆動部５０に対し、この駆動部５０を支える傾動軸２２及び駆動部５０の傾動に関わる回転軸２３の各両端部を、独立した二つのベースフレーム２５、２６で支持するようにし、各ベースフレーム２５、２６における傾動軸２２と回転軸２３に対し直角となる向きで且つ背もたれ部１３の前後方向に対応する向きの大きさを、傾動軸２２と回転軸２３に対し平行となる向きの大きさより大きくし、各ベースフレーム２５、２６を傾動軸２２又は回転軸２３と直角をなす向きに加わる力に対し変形しにくくすることから、揉み玉２０に大きな反力が加わって駆動部５０を相対的に動かし、駆動部５０側から傾動軸２２と回転軸２３の相互の位置関係を変えようとする力がベースフレーム２５、２６に加わる場合でも、ベースフレーム２５、２６が変形することなくベースフレーム上の傾動軸２２及び回転軸２３の位置関係を維持して、各機構部品の連結、連動を適切な状態に保てることとなり、各部品に異常な力が加わらず部品の破損を防止できると共に、施療子位置の調整に係る駆動部５０の傾動を確実に行わせることができ、マッサージ機作動の信頼性や安定性を向上させられる。
【００８９】
なお、前記実施の形態に係るマッサージ機において、第一及び第二の各ベースフレーム２５、２６は、金属平板を曲げ加工して、起立部分を生じさせることで溝状の横断面形状を有すると共に、起立部分である他の平面部２５ｂ、２６ｂの大きさを一の平面部２５ａ、２６ａより大きくするように形成される構成としているが、これに限らず、当初から溝状の横断面形状部分を少なくとも有する所定断面形状の部材をそのままベースフレームに用いる構成とすることもできる。その場合、形鋼や押出し型材等の金属材の他、必要強度を有するものであれば合成樹脂材の成型品を用いるようにすることもできる。
【符号の説明】
【００９０】
１                マッサージ機
１０              機械ユニット
１１              基台部
１２              座部
１３              背もたれ部
１３ａ            背もたれ部フレーム
１３ｂ            ガイドフレーム
１３ｃ            ラック
１４              肘掛部
１５              脚支持部
１７、１８        ガイド体
１７ａ、１７ｂ    曲面形状部分
１８ａ、１８ｂ    曲面形状部分
２０              揉み玉
２１              揉み玉支持アーム
２２              傾動軸
２３              回転軸
２４              ピニオンギヤ
２５              第一のベースフレーム
２５ａ            一の平面部
２５ｂ            他の平面部
２５ｃ            平面部
２６              第二のベースフレーム
２６ａ            一の平面部
２６ｂ            他の平面部
２６ｃ            平面部
２７              ローラ部
２７ａ            歯車部
２７ｂ            案内面部
２８              ガイドローラ
３０              操作部
３１              スタンド
４０              制御部
４１              連結桿
５０              駆動部
５１              ハウジング
５２、５３        外殻部材
５２ａ、５３ａ    側面部
５４              歯部
５５              軸受部
５６              減速機構部
５６ａ            ウォーム
５６ｂ            ウォームホイール
５６ｃ            減速段部
５７              減速機構部
５７ａ            ウォーム
５７ｂ            ウォームホイール
５７ｃ            減速段部
５８              軸受部
６１              進退用モータ
６２              昇降用モータ
６３              揉み用モータ
６４              叩き用モータ
７０              エアポンプ
７１              臀部用エアセル
７２              太腿用エアセル
７３              背中用エアセル
７４              腰用エアセル
【図１】
2019042141.tif 000003
【図２】
2019042141.tif 000004
【図３】
2019042141.tif 000005
【図４】
2019042141.tif 000006
【図５】
2019042141.tif 000007
【図６】
2019042141.tif 000008
【図７】
2019042141.tif 000009
【図８】
2019042141.tif 000010
【図９】
2019042141.tif 000011
【図１０】
2019042141.tif 000012
【図１１】
2019042141.tif 000013